(57)【要約】【課題】  排泄物を掴み取るだけでなく、路面に残った排泄物を簡単かつ衛生的に洗い落すことを可能とする。【解決手段】  ペット排泄物処理用掴み具１に、洗浄用の水Ｃを収容した水用容器２をバンド体４により把持部１１に装着し、洗浄用ブラシ３を面ファスナ１３により把持部１１に装着したことにより、路面に残った排泄物Ｂを洗浄用の水Ｃと洗浄用ブラシ３により簡単かつ衛生的に洗い落すことができる。【選択図】  図１
2006109798.tif 000002
【特許請求の範囲】
【請求項１】
ペットの排泄物を把持する一対の把持部を有し、弾性力により前記把持部の先端側同士が離れたように該把持部の基端部を連結してなるトング状のペット排泄物処理用掴み具であって、前記把持部に洗浄用の水を収容する水用容器と洗浄用ブラシとを備えたことを特徴とするペット排泄物処理用掴み具。
【請求項２】
前記水用容器と前記洗浄用ブラシが前記把持部に着脱自在に取り付けられていることを特徴とする請求項１記載のペット排泄物処理用掴み具。
【請求項３】
前記把持部に前記水用容器を取り付けるバンド体と、このバンド体を締め付けて前記水用容器を把持部に保持するための保持手段とを設けたことを特徴とする請求項２記載のペット排泄物処理用掴み具。
【請求項４】
前記保持手段が前記把持部に固定した取付ねじと、この取付ねじにねじ込んで前記バンド体を締め付ける手動操作可能な蝶ナットであることを特徴とする請求項２記載のペット排泄物処理用掴み具。
【請求項５】
前記水用容器は、前記バンド体によって前記ペット排泄物処理用掴み具の開閉操作に際し、把持部と干渉しない位置に装着され、かつ、内部に収容した洗浄用の水を放出する開口部を下向きとなるように把持部に装着したことを特徴とする請求項３又は４項に記載のペット排泄物処理用掴み具。
【請求項６】
前記水用容器の開口部に開閉操作可能なコックを装着するとともに、該コックの開操作時の空気取入用の孔部を前記水用容器に形成したことを特徴とする請求項５記載のペット排泄物処理用掴み具。
【発明の詳細な説明】
【技術分野】
【０００１】
本発明は、ペットの散歩時に排泄される糞尿を処理するペット排泄物処理用掴み具、特に、犬の排泄物を衛生的に処理することが可能なペット排泄物処理用掴み具に関する。
【背景技術】
【０００２】
近年のペットブームにより多種多様なペットが飼われている。中でも犬はペットの主役的存在で、推定でも１０００万頭以上が飼育されていると言われており、愛犬家の間に散歩時等で当然排泄される糞尿の処理についての関心が高まってきている。このような散歩中のペットの排泄物を処理する器具として多種多様な器具が提案され、例えば、特許文献１には、飼い主が、排泄物等の始末をしやすくする為に、ペットの排泄物を挟んで処理用の袋にしまうためのＶ字型挟み取り具が提案されている。この挟み取り具は、先端にＬ字型すくい部と他の先端に掻き寄せヘラ部が形成され、ペットの排泄物が挟みやすいように工夫されている。
【０００３】
また、特許文献２には、上端がＵ字型に結合する一対の柄の下端に、挟み掬い板を設けた本体にポリ袋等の一般の袋を装着して、犬の糞を直接袋の中に取り込むことができる犬の糞取り器具が開示されている。
【特許文献１】特開２０００−１８８９８７号公報
【特許文献２】特開２００１−３５２８５４号公報
【発明の開示】
【発明が解決しようとする課題】
【０００４】
上述した特許文献１及び２では、ペットの排泄物を挟む、あるいは掴んで処理袋などに直接又は間接的にしまうことを目的とするものであって、固形の排泄物は、処理することが可能であるが、水分を含んだ排泄物や糞尿や、道路上に排泄をした際に路面に付いて残ってしまった排泄物の汚れや尿などを処理をする機能が無い。このため、ティッシュなどで拭き取るなど手間がかかるとともに、ティッシュなどで拭き取るなどしても路面に残った排泄物がかえって広がるなどすることから、水分を含んだ排泄物や糞尿などを衛生的に処理することが難しい面があった。
【０００５】
本発明は、上記問題に鑑みてなされたもので、水分を含んだ排泄物や糞尿を簡単かつ容易に処理することができるとともに、極めて衛生的に処理することが可能なペット排泄物処理用掴み具を提供することをその目的とする。
【課題を解決するための手段】
【０００６】
本発明の請求項１のペット排泄物処理用掴み具は、ペットの排泄物を把持する一対の把持部を有し、弾性力により前記把持部の先端側同士が離れたように該把持部の基端部を連結してなるトング状のペット排泄物処理用掴み具であって、前記把持部に洗浄用の水を収容する水用容器と洗浄用ブラシとを備えたことを特徴とする。
【０００７】
請求項１の構成によれば、ペットの排泄物を処理する際、把持部で排泄物を掴んで処理用の袋などに収容し、水分を含んだ排泄物や糞尿は、水用容器内に収容した洗浄用の水で洗い流しながら洗浄用ブラシで洗浄することで確実かつ衛生的に処理することができる。
【０００８】
本発明の請求項２のペット排泄物処理用掴み具は、前記水用容器と前記洗浄用ブラシが前記把持部に着脱自在に取り付けられていることを特徴とする。
【０００９】
請求項２の構成によれば、前記水用容器と前記洗浄用ブラシが前記把持部に着脱自在に取り付けられていることにより、水分を含んだ排泄物や糞尿を洗浄する際、洗浄用ブラシを取り外して簡単かつ容易に洗浄することができるとともに、水用容器のコック付蓋を取り外すことで洗浄水の補充や使用後の洗浄水の排出が容易となる。
【００１０】
本発明の請求項３のペット排泄物処理用掴み具は、前記把持部に前記水用容器を取り付けるバンド体と、このバンド体を締め付けて前記水用容器を把持部に保持するための保持手段とを設けたことを特徴とする。
【００１１】
請求項３の構成によれば、前記把持部に前記水用容器を取り付けるバンド体と、このバンド体を締め付けて前記水用容器を把持部に保持するための保持手段とを設けたことにより、前記水用容器がバンド体により固定されて、動いたり、落下することなく、把持部に水用容器を確実に保持することができるとともに、サイズの異なる水用容器を把持部に固定することができ、水用容器として各種ペットボトルやその他の容器を転用可能となるから、汎用性にも優れる。
【００１２】
本発明の請求項４のペット排泄物処理用掴み具は、前記保持手段が前記把持部に固定した取付ねじと、この取付ねじにねじ込んで前記バンド体を締め付ける手動操作可能な蝶ナットであることを特徴とする。
【００１３】
請求項４の構成によれば、蝶ナットを操作することで、把持部から水用容器を簡単に着脱することが可能となる。
【００１４】
本発明の請求項５のペット排泄物処理用掴み具は、前記水用容器は、前記バンド体によって前記ペット排泄物処理用掴み具の開閉操作に際し、把持部と干渉しない位置に装着され、かつ、内部に収容した洗浄用の水を放出する開口部を下向きとなるように把持部に装着したことを特徴とする。
【００１５】
請求項５の構成によれば、水用容器が把持部と干渉しない位置に装着されていることにより、ペットの排泄物を把持部により把持する際には、水用容器が邪魔にならず、かつ、内部に収容した洗浄用の水を放出する開口部を下向きとなるように把持部に装着したことにより、水で洗浄する際には、把持部を上下に持ち換える必要もない。
【００１６】
本発明の請求項６のペット排泄物処理用掴み具は、前記水用容器の開口部に開閉操作可能なコックを装着するとともに、該コックの開操作時の空気取入用の孔部を前記水用容器に形成したことを特徴とする。
【００１７】
請求項６の構成によれば、前記水用容器の開口部に開閉操作可能なコックを装着したことにより、水を使用しない時には、水が水用容器の開口部からもれたりすることが無く、水が必要な時だけ、コックをひねることにより洗浄用の水を水用容器の開口部から放出することが可能となり、該コックの開操作時の空気取入用の孔部を前記水用容器に形成したことにより、スムーズに水を開口部から放出することができる。
【発明の効果】
【００１８】
請求項１のペット排泄物処理用掴み具によれば、ペットの排泄物を把持する一対の把持部を有し、弾性力により前記把持部の先端側同士が離れたように該把持部の基端部を連結してなるトング状のペット排泄物処理用掴み具であって、前記把持部に洗浄用の水を収容する水用容器と洗浄用ブラシとを備えたことを特徴とすることにより、把持部を有し、弾性力により前記把持部の先端側同士が離れたように該把持部の基端部を連結してあることにより、把持部で排泄物を処理した後、路面などに残った排泄物を洗浄用の水で洗い流しながら洗浄用ブラシで洗浄することで排泄物の跡が残ることなく確実に処理することができるから、ペットの排泄物を極めて衛生的に処理することができる。
【００１９】
請求項２のペット排泄物処理用掴み具によれば、前記水用容器と前記洗浄用ブラシが前記把持部に着脱自在に取り付けられていることにより、水用容器と洗浄用ブラシを容易に取り外すことができる為、別の水用容器と洗浄用ブラシに付け替えることが可能となる。
【００２０】
請求項３のペット排泄物処理用掴み具によれば、前記把持部に前記水用容器を取り付けるバンド体と、このバンド体を締め付けて前記水用容器を把持部に保持するための保持手段とを設けたことにより、水用容器を取り付ける際には、バンド体を締め付けて把持部に固定することにより、水用容器がバンド体によってしっかりと固定されている為に、ペットの散歩中にペット排泄物処理用掴み具を持ち運ぶ際に振動により動いたりせず、水用容器がペット排泄物処理用掴み具から落下することも無い。また、バンド体を締め付けて固定することにより、様々なサイズの水用容器に対応することが可能となる。
【００２１】
請求項４のペット排泄物処理用掴み具によれば、前記保持手段が前記把持部に固定した取付ねじと、この取付ねじにねじ込んで前記バンド体を締め付ける手動操作可能な蝶ナットであることにより、水用容器を着脱する際に、手で容易に蝶ナットを回してバンド体を締め付けたり緩めたりすることが可能となる為、特別な工具類を必要とすることなく、蝶ナットを回して取付ねじをねじ込むことが可能となる為に容易に水用容器を取り替えることが可能となる。
【００２２】
請求項５のペット排泄物処理用掴み具によれば、前記水用容器は、前記バンド体によって前記ペット排泄物処理用掴み具の開閉操作に際し、把持部と干渉しない位置に装着され、かつ、内部に収容した洗浄用の水を放出する開口部を下向きとなるように把持部に装着したことにより、水用容器が把持部と干渉しない位置に装着されている為に、ペットの排泄物をペット排泄物処理用掴み具の開閉操作により把持部によって把持する際には、水用容器が開閉操作の妨げにならずに、把持部によってペットの排泄物を把持することが可能となる。また、内部に収容した洗浄用の水を放出する開口部を下向きとなるように把持部に装着したことにより、水分を含んだ排泄物や糞尿、道路上に排泄をした際に路面に付いて残ってしまった排泄物の汚れや尿などを処理する際には、手間をかけることが無く、スムーズに洗浄用の水を水用容器の開口部から放出することが可能となる為、排泄物の汚れや尿などを水用容器の開口部から放出された洗浄用の水を使うことで容易に処理をすることが可能となる。
【００２３】
請求項６のペット排泄物処理用掴み具によれば、前記水用容器の開口部に開閉操作可能なコックを装着するとともに、該コックの開操作時の空気取入用の孔部を前記水用容器に形成したことにより、開口部に開閉操作可能なコックが装着されているので、ペットの散歩中にペット排泄物処理用掴み具を持ち運ぶ際や、把持部によってペットの排泄物を把持する際には、コックを閉めることによってペットの散歩中に振動により水が不用意に水用容器の洗浄用の水を放出する開口部から流れ出ることが無く、水分を含んだ排泄物や糞尿や、道路上に排泄をした際に路面に付いて残ってしまった排泄物の汚れや尿などを処理する際には、コックを開操作することによって簡単に必要な量の水を洗浄用の水を放出する開口部から放出することが可能となる。また、空気取入用の孔部を前記水用容器に形成したことにより、水を水用容器の洗浄用の水を放出する開口部から放出する際に、放出される水の代わりに空気取入用の孔部から空気が水用容器の内部に入ってくる為に、スムーズに水が水用容器の洗浄用の水を放出する開口部から放出することが可能となる。
【発明を実施するための最良の形態】
【００２４】
本発明の実施の形態を実施例に基づき図面を参照して説明する。図１は、ペット排泄物処理用掴み具１の斜視図、図２は、ペットの排泄物Ａを把持部１１で把持する際の斜視図、図３は、洗浄用の水Ｃを水用容器２の洗浄用の水を放出する開口部２２から排出しながら洗浄用ブラシ３を使用し、水分を含んだ排泄物や糞尿、道路上に排泄をした際に路面に付いて残ってしまった排泄物の汚れや尿Ｂを洗浄する際の使用状態を示す側面図、図４は、洗浄用の水を収容する水用容器２を、ペット排泄物処理用掴み具１にバンド体４を取付ねじ５と蝶ナット６とで締め付けて固定する方法を示すバンド体４の断面図である。同図に示すように、ペット排泄物処理用掴み具１は、洗浄用の水を収容した水用容器２、洗浄用の水を収容した水用容器２をペット排泄物処理用掴み具１の把持部１１に装着するためのバンド体４、バンド体４を締め付けるための保持手段としての取付ねじ５と蝶ナット６、洗浄用ブラシ３等から構成されている。
【００２５】
ペット排泄物処理用掴み具１は、好ましくは、ステンレス等の水に強く、錆び難い素材で成形され、ペットの排泄物Ａを把持する一対の把持部１１を有し、該把持部１１の基端部１２を連結し、基端部１２の弾性力により前記把持部１１の先端側同士が離れたようになるトング状に形成されている。また、把持部１１には、洗浄用の水を収容する水用容器２がバンド体４により保持されているとともに、洗浄用ブラシ３が面ファスナ１３により把持部１１に着脱自在に取り付けられている。
【００２６】
洗浄用の水Ｃを収容した水用容器２は、洗浄用の水Ｃを放出する開口部２１と開口部２１の開閉操作を可能にするコック２２を備えた水用容器用コック付蓋２３と、コック２２により開口部２１が開かれた時に、空気を取り入れるための空気取入用孔部２４とが設けられている。この空気取入孔部２４は、通常、空気取入孔部用栓２５によって塞がれており、コック２２を開いて水用容器２から水Ｃを流す際、空気取入孔部用栓２５を外して水用容器２内に空気を取り入れるようにしている。水用容器２は、ペット排泄物処理用掴み具１の把持部１１にバンド体４を取付ねじ５と蝶ナット６を手動操作で締め付けることによりペットの散歩中や把持部１１でペットの排泄物Ａを把持する際に振動によりガタ付いたり、移動したりして落下すること無く、バンド体１１により確実に保持されている。又、蝶ナット６を使用することにより他に特別な工具類を必要とすることなく、手動操作により手軽に付け替えることが可能となる。更に図４で示すように、バンド体１１で保持できる水用容器２のサイズＬは、Ｌ１からＬ２の範囲で調整可能な為に、ペット排泄物処理用掴み具１専用の水用容器２だけでなく、市販の飲料水に使われているペットボトルなどを使用することが可能となる。
【００２７】
洗浄用ブラシ３は、ペット排泄物処理用掴み具１の把持部１１に面ファスナ１３を使用して取り付けられているから、自由に取り外すことができ、洗浄用ブラシ３が磨耗して使用しにくくなった場合などには、ペット排泄物処理用掴み具１専用の洗浄用ブラシ３ではなく、他の例えば市販品の歯ブラシなどに取り替えることが可能となる。
【００２８】
次に、ペット排泄物処理用掴み具１の使用方法について説明する。ペットの散歩に行く際に、予め水用容器２に洗浄用の水Ｃを収容しておく。一回のペットの散歩で使用する洗浄用の水Ｃの量は、３００ｃｃほどあれば十分である。この際、水用容器２は、蝶ナット６を回す事により、バンド体４から、簡単に取り外すことが可能なので、水用容器用コック付蓋２３を外すことでも洗浄用の水Ｃを水用容器２に入れられるが、水用容器２をバンド体４から外した方がいれやすい。又、空気取入孔部２４は、空気取入孔部用栓２５によって閉じておく。
【００２９】
そして、ペットの散歩中、ペットが排泄をした際に、図２で示すように、把持部１１の基端部１２付近を手で持ち、把持部１１の基端部１２付近を手で操作することにより道路上のペットの排泄物Ａを把持部１１を開閉操作することにより把持し、把持部１１の基端部１２が弾性力を有しているので手により握る力を緩めることにより把持部１１を開くことができるため、持参したゴミ袋等に移す際に把持部１１で把持したペットの排泄物Ａを放すことが容易くできる。又、基端部１２付近を手で持ち、把持部１１を操作することが可能となるので道路上にしゃがみ込んでペットの排泄物Ａを処理する必要が無くなるので、手軽にペットの排泄物Ａを処理することができるとともに手が汚れることも無い。さらに、洗浄用の水Ｃを収容した水用容器２と洗浄用ブラシ３は、ペット排泄物処理用掴み具１の開閉操作の際に、把持部１１と干渉しない位置に装着されているために、ペットの排泄物Ａを処理する際に邪魔になることなく、スムーズに開閉操作が可能となる。
【００３０】
このようにペットが路上などに排泄した際、把持部１１で掴んで、これを持参した処理袋に回収するものであるが、道路上に排泄をした跡が残り、特に、水分を含んだ排泄物や糞尿は、道路上に確実に残ってしまう。このようにペットの排泄物Ａを把持部１１を使い前記のように処理した後に路上に残ってしまった汚れや尿などの水分を含んだ排泄物Ｂは、図３で示すように水用容器２の開口部２１をコック２２を開操作する事によって開き、空気取入孔部２４から空気取入孔部用栓２５を抜き、空気を水用容器２に取り入れながら水Ｃを開口部２２から路上に放出させ、洗浄用ブラシ３を使用して路上を洗浄することによって極めて衛生的に路上に残ってしまった汚れや尿などの水分を含んだ排泄物Ｂを処理することが可能となる。
【００３１】
その際、水用容器２の開口部２１が下向きとなるように把持部１１に装着されていることにより、洗浄用の水Ｃが必要な際には、コック２２を開操作することによりペット排泄物処理用掴み具１１を回転させたり、移動させたりすること無くスムーズに水用容器２の開口部２１から洗浄用の水Ｃを放出することが可能となる。
【００３２】
ペットの散歩から帰宅した後は、ペット排泄物処理用掴み具１がステンレス等の錆び難い素材で出来ているので、水で手軽に洗浄することができ、更に、洗浄用ブラシ３が汚くなり、ペット排泄物処理用掴み具１に装着したままで洗浄することが難しい際には、面ファスナ１３により把持部１１に装着されており、手軽に取り外すことが可能なので、取り外すことによって洗浄用ブラシ３を丁寧に水等で洗浄することが可能となる。
【００３３】
以上、本発明の実施例について詳述したが、本発明は、前記実施例に限定されるものではなく、本発明の要旨の範囲内で種々の変形実施が可能である。例えば、図５に示すように、水用容器２と洗浄用ブラシ３を別々の把持部１１に装着することも可能であるし、また洗浄用のブラシ３を把持部に取り付けるための装置として、結束バンド１４などでも可能であり、この場合も上述した効果を得ることができる。
【図面の簡単な説明】
【００３４】
【図１】本発明のペット排泄物処理用掴み具の斜視図である。
【図２】本発明のペット排泄物処理用掴み具でペットの排泄物を把持部で把持する際の斜視図である。
【図３】本発明のペット排泄物処理用掴み具で路面の汚れを洗浄する際の使用状態を示す側面図である。
【図４】本発明のペット排泄物処理用掴み具のバンド体の断面図である。
【図５】本発明の他の形態を示す斜視図である。
【符号の説明】
【００３５】
１    ペット排泄物処理用掴み具
２    水用容器
３    洗浄用ブラシ
４    バンド体
５    取付ねじ（保持手段）
６    蝶ナット（保持手段）
１１  把持部
１２  基端部
１３  面ファスナ
１４  結束バンド
２１  開口部
２２  コック
２３  水用容器用コック付蓋
２４  空気取入孔部
２５  空気取入孔部用栓
【図１】
2006109798.tif 000003
【図２】
2006109798.tif 000004
【図３】
2006109798.tif 000005
【図４】
2006109798.tif 000006
【図５】
2006109798.tif 000007